(57)【要約】【課題】  不正開封されたか否かを容易に且つ確実に確認することのできる回路基板収納ケース、及びそれを備えた遊技機を提供する。【解決手段】  メイン基板収納ケース３０は、メイン基板２４を収容したケース基体３１と、メイン基板２４を外部に露呈しないようにケース基体３１に装着されるケース蓋３２とから構成され、ケース基体３１に形成されたネジ螺合部３４とケース蓋３２に形成されたネジ挿通部３５とは、ネジ３３によって連結される。カシメ部材３６は、ネジ３３の頭部を覆うようにネジ挿通部３５に分離不能に固着される。ＲＦＩＤタグ３７は、カシメ部材３６に取り付けられ、封印コードを記憶し、この封印コードをＲＦＩＤリーダ／ライタに無線送信する。ＲＦＩＤタグ３７は、カシメ部材３６の破壊に伴って少なくとも一部が破壊され、封印コードの無線送信が不能となる。【選択図】        図４
2005130909.tif 000002
【特許請求の範囲】
【請求項１】
回路基板を収容するケース基体と、前記回路基板を外部に露呈しないように前記ケース基体に装着するケース蓋とを備え、前記ケース基体と前記ケース蓋とのそれぞれに形成した連結部が連結部材によって連結される回路基板収納ケースにおいて、
前記連結部材を覆うように前記連結部に分離不能に固着し得るカバー部材と、所定のデータを記憶し、且つこのデータを非接触で出力し得る情報記憶手段とを設けるとともに、この情報記憶手段を前記カバー部材に取り付け、前記カバー部材の破壊に伴って破壊されるようにしたことを特徴とする回路基板収納ケース。
【請求項２】
前記連結部材は、前記連結部を締結するネジであり、このネジの締結操作部をチップ状にした前記情報記憶手段を有する前記カバー部材で分離不能に覆うことを特徴とする請求項１記載の回路基板収納ケース。
【請求項３】
請求項１又は２のいずれかに記載の回路基板収納ケースを有することを特徴とする遊技機。
【発明の詳細な説明】
【技術分野】
【０００１】
本発明は、制御回路装置を有する基板を収納する回路基板収納ケース、及びそれを備えたパチンコ機やスロットマシン等の遊技機に関するものである。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その筐体内部に、遊技媒体の供給に基づいて作動させるランプ装置や音声発生装置などの様々な各種駆動装置及びこれら駆動装置を制御させるために対応させた回路装置となる制御回路基板を備えており、遊技者が遊技を行う際にこれらを適宜作動させることによって遊技を興趣に溢れたものとしている。また、近年では、所定の識別情報（図柄）を変動表示し得るリール表示装置または液晶画像表示装置等の図柄可変表示装置を内蔵し、所定条件を満たしたときに識別情報を変動させた後に停止表示させるように図柄可変表示装置を作動させるものが主流となっている。これらの装置は制御回路基板によって制御されている。
【０００３】
最近の遊技機の内部に配設されている制御回路基板は、その基板上に設けられたＣＰＵ（Ｃｅｎｔｒａｌ  Ｐｒｏｃｅｓｓｉｎｇ  Ｕｎｉｔ）が、制御プログラムに従って電子制御を行うものが一般的である。制御プログラムは、基板上に装着されたマスクＲＯＭ（Ｒｅａｄ  Ｏｎｌｙ  Ｍｅｍｏｒｙ）などのメモリチップにデータとして記憶されており、ＣＰＵは、遊技状態に応じてメモリチップから制御プログラムのデータを逐次読み出して実行することによって制御を行っている。
【０００４】
また、遊技場に設置される遊技機は、制御プログラムが不正に改変されないよう管理されており、制御回路基板を基板収納ケースに収納し、その基板収納ケースを、筐体内又は本体基部の所定部材に組み付けるなどして、制御プログラムが不正に改変されないように配慮がなされている。さらに、制御プログラムのデータが記憶されたメモリチップは、装着されている基板上から容易に外すことができないよう、封印シールが貼付されるなどして、制御プログラムが不正に交換されて改変されないように配慮がなされている。遊技機にはこのような高いセキュリティが求められている。
【発明の開示】
【発明が解決しようとする課題】
【０００５】
上記のような遊技機であっては、基板収納ケースは破壊することなく取り外すことができる。近年では封印シールは簡単に複製できるため、メモリチップを不正に交換した後に複製された封印シールを貼付して基板収納ケースに取り付けられると、遊技場管理者はこの不正行為を発見することができない。従って上記の遊技機は、このようなゴト行為に対するセキュリティーの信頼性に欠けるものである。そこで、締め付け方向にしか回転操作できないワンウェイネジで基板収納ケースをカシメ封止することによる対策も行われているが、このワンウェイネジによるカシメ封止は完全とは言えない。特殊な工具を用いてワンウェイネジの締結が解除されて基板収納ケースが開封され、メモリチップの交換などが行われた後に再度基板収納ケースの封止が行われた場合には、不正開封された痕跡は残ることもあるがその確認は容易でなく、時間を要する。また、この確認を行うには遊技機の筐体の扉などを開ける必要があって手間がかかる。
【０００６】
本発明は、上記問題点を解決するためになされたものであり、ゴト行為により不正開封されたか否かを容易に且つ確実に確認することのできる回路基板収納ケース、及びそれを備えた遊技機を提供することを目的とする。
【課題を解決するための手段】
【０００７】
本発明の回路基板収納ケースは、回路基板を収容するケース基体と、前記回路基板を外部に露呈しないように前記ケース基体に装着するケース蓋とを備え、前記ケース基体と前記ケース蓋とのそれぞれに形成した連結部が連結部材によって連結される回路基板収納ケースにおいて、前記連結部材を覆うように前記連結部に分離不能に固着し得るカバー部材と、所定のデータを記憶し、且つこのデータを非接触で出力し得る情報記憶手段とを設けるとともに、この情報記憶手段を前記カバー部材に取り付け、前記カバー部材の破壊に伴って破壊されるようにしたことを特徴とするものである。
【０００８】
なお、前記連結部材は、前記連結部を締結するネジであり、このネジの締結操作部をチップ状にした前記情報記憶手段を有する前記カバー部材で分離不能に覆うことが好ましい。
【０００９】
本発明の遊技機は、請求項１又は２のいずれかに記載の回路基板収納ケースを有することを特徴とするものである。
【発明の効果】
【００１０】
本発明の回路基板収納ケースは、回路基板を収容するケース基体と、前記回路基板を外部に露呈しないように前記ケース基体に装着するケース蓋とを備え、前記ケース基体と前記ケース蓋とのそれぞれに形成した連結部が連結部材によって連結される回路基板収納ケースにおいて、前記連結部材を覆うように前記連結部に分離不能に固着し得るカバー部材と、所定のデータを記憶し、且つこのデータを非接触で出力し得る情報記憶手段とを設けるとともに、この情報記憶手段を前記カバー部材に取り付け、前記カバー部材の破壊に伴って破壊されるようにしたので、回路基板収納ケースが不正開封されたか否かは、前記所定のデータを認証することによって容易に且つ確実に確認することができる。
【００１１】
なお、前記連結部材は、前記連結部を締結するネジであり、このネジの締結操作部をチップ状にした前記情報記憶手段を有する前記カバー部材で分離不能に覆うので、前記カバー部材を必要最小限の大きさとし、縮小化することができる。
【発明を実施するための最良の形態】
【００１２】
図１に本発明を用いた遊技機の１実施例であるスロットマシンの外観を示す。スロットマシン１０は、筐体１１の前面扉１２に４個の表示窓１３が設けられており、各々の表示窓１３の奥に位置するように第１リール１４ａ、第２リール１４ｂ、第３リール１４ｃ及びサブリール１５が回転自在に組み込まれている。周知のように、第１〜第３リール１４ａ〜１４ｃの外周には複数種類の当選絵柄が一定ピッチで配列され、リールが停止した状態では表示窓１３を通して１リール当たり３個の絵柄が観察可能になる。これにより、各リールの絵柄を一個ずつ組み合わせた直線状の入賞有効ラインが横３本斜め２本の合計５本が設定される。
【００１３】
ゲームの開始に先立ってメダル投入口１６から１枚のメダルを投入したときには中央横一本の入賞有効ラインが有効化され、２枚では横３本、３枚ではさらに斜め２本を加えた５本の入賞有効ラインが有効化される。また、メダルは５０枚を限度にクレジット（貯留）することが可能になっている。なお、表示窓１３から１リール当たり例えば４個ずつの絵柄を観察できるようにしておき、横４本の入賞有効ラインのほかに、各リールごとに絵柄を一個ずつ組み合わせるように折れ曲がった別の入賞有効ラインを設定することも可能である。
【００１４】
サブリール１５は、スタートレバー１７の操作により第１〜第３リール１４ａ〜１４ｃとともに回転を始める。サブリール１５は、ＢＢモードに移行させるＢＢが内部入賞したときに「ＢＩＧ」を表示する位置で停止され、ＲＢモードに移行させるＲＢが内部入賞したときに「ＲＥＧ」を表示する位置で停止される。また、電子抽選でハズレが抽選されたときは、何も表示しない位置で停止される。なお、サブリール１５の外周に描かれる絵柄は適宜の絵柄にすることが好ましく、絵柄に限らず、例えばマークや数字などにしてもよい。また、サブリール１５には、特定の当選役に当選したことを示したり、特定の当選役に当選したか否かの期待度を示す絵柄を描くなど適宜の絵柄を描いて適宜報知を行うようにしてよい。
【００１５】
ストップボタン１８ａ〜１８ｃが操作されることにより、各ボタンに対応した第１〜第３リール１４ａ〜１４ｃが個別に停止する。ストップボタン１８ａ〜１８ｃの上方の操作パネルには、メダルがクレジットされた状態でゲームを行うときに操作される１ベットボタン、ＭＡＸベットボタン、ペイアウトボタンなどの各種の操作ボタンが設けられている。これらの操作ボタンの機能はいずれも周知であるのでその詳細については省略する。
【００１６】
筐体１１の下部にはメダル受け皿１９が設けられており、このメダル受け皿１９には、ゲームで入賞が得られたときに得られる配当メダルが払い出し口２０から払い出される。
【００１７】
前面扉１２は、上扉１２ａと下扉１２ｂとから構成されている。上扉１２ａ及び下扉１２ｂはそれぞれヒンジ２１により取り付けられ、それぞれ図中の矢印の方向に回動させることができるようになっている。上扉１２ａには情報表示手段である液晶パネル２２が設けられている。液晶パネル２２では、例えばＢＢ、ＲＢ、小役などが入賞された際の配当メダルの枚数を表示する配当メダル枚数表示部２２ａ、クレジット枚数表示部２２ｂ、ＢＢモードやＲＢモードで行われたゲーム数を表示するゲーム数表示部２２ｃ、メダルの払い出し枚数を表示する払い出し枚数表示部２２ｄなどが設けられ、スロットマシン１０の機種ごとに応じた情報が表示される。
【００１８】
図２に示すように、筐体１１内部には、スロットマシン１０における遊技の基本となる動作を生成してリール回転の制御などを行うための主制御部としてのメイン基板（回路基板）２４が配設されている。このメイン基板２４は、メイン基板収納ケース（回路基板収納ケース）３０に収納されている。リールユニット２５は、支持枠２６に取り付けられ、支持枠２６は筐体１１内部に着脱自在に取り付けられている。このため、リールユニット２５は、支持枠２６とともに交換可能となっている。
【００１９】
図３〜４に示すように、メイン基板収納ケース３０は、ケース基体３１とケース蓋３２とから構成されており、ケース基体３１は、筐体１１内部の背面側内壁に取り付けられている。ケース基体３１には、ＣＰＵ２４ａ及びスロットマシン１０の遊技動作プログラムを記憶したＲＯＭ２４ｂなどの各種回路部品が実装されたメイン基板２４が収容されている。このケース基体３１にケース蓋３２を装着することにより、メイン基板２４は、外部に露呈しないようにメイン基板収納ケース３０内に封止される。
【００２０】
ケース基体３１は、その長手方向の両端部の縁に沿って、ネジ（連結部材）３３が螺合するネジ螺合部（連結部）３４がそれぞれ６個ずつ形成されている。ケース蓋３２は、その長手方向の両端部の縁に沿って、ネジ３３が挿通するネジ挿通部（連結部）３５がそれぞれ６個ずつ形成されている。ネジ３３は、締め付け方向にのみ回転操作（締結操作）が可能なワンウェイネジであり、ネジ挿通部３５毎に１つずつ用いられる。ネジ３３がネジ挿通部３５側からネジ螺合部３４に螺合したとき、メイン基板収納ケース３０の不正開封時に取り外し操作されるネジ３３の頭部（締結操作部）３３ｂ（図５参照）を覆うようにして、ネジ挿通部３５に固着されるカシメ部材（カバー部材）３６が、各ネジ３３毎に１つずつ用いられる。
【００２１】
また、ケース蓋３２には、接続ケーブル４４〜４６の一端に設けられたプラグ４４ａ〜４６ａを挿入するための接続開口３２ａ〜３２ｃが設けられている。この接続ケーブル４４〜４６のプラグ４４ａ〜４６ａは、接続開口３２ａ〜３２ｃに挿通し、メイン基板２４に設けられたコネクタ２４ｃ〜２４ｅに接続される。接続ケーブル４４〜４６の他端は、それぞれメダルセンサ、スタート信号センサ、リール駆動コントローラ（不図示）に接続される。
【００２２】
カシメ部材３６は、樹脂などで形成された円盤形のチップ状であり、その内部に、ＲＦＩＤ（Ｒａｄｉｏ  Ｆｒｅｑｕｅｎｃｙ  ＩＤｅｎｔｉｆｉｃａｔｉｏｎ）タグ（情報記憶手段）３７を封入している。このＲＦＩＤタグ３７は、ＩＣチップ３７ａと、銅線がコイル状に巻かれてなる送受信アンテナ３７ｂとから構成されている。ＲＦＩＤタグ３７は電源を内蔵していないので、送受信アンテナ３７ｂは、専用のＲＦＩＤリーダ／ライタ４０（以下、「リーダ／ライタ」は「Ｒ／Ｗ」と記載）から受けた電波を電磁誘導によって電力として蓄積し、これを電源としてＩＣチップ３７ａを動作させる。
【００２３】
ＩＣチップ３７ａは、封印コード（データ）Ｃを記憶し、ＲＦＩＤ  Ｒ／Ｗ４０との間で無線通信を行う。封印コードＣとして、例えばスロットマシン１０の各機種毎のコードが用いられるが、遊技場において適宜設定される任意のコードが望ましい。このためＩＣチップ３７ａには、詳しく図示しないが、この封印コードＣを記憶するとともに随時書き換え可能なメモリ（例えば、ＦＲＡＭ（Ｆｅｒｒｏｅｌｅｃｔｒｉｃ  Ｒａｎｄｏｍ  Ａｃｃｅｓｓ  Ｍｅｍｏｒｙ））と、送受信アンテナ３７ｂを介してＲＦＩＤ  Ｒ／Ｗ４０にデータを出力するための通信回路とが設けられている。
【００２４】
ＲＦＩＤ  Ｒ／Ｗ４０には、ＲＦＩＤタグ３７との間で電波の送受信を行う送受信部４１や、ＲＦＩＤタグ３７に送信する封印コードＣの入力を行う入力操作部４２、ＲＦＩＤタグ３７から送信された封印コードＣを表示する表示部４３などが設けられている。
【００２５】
このようなＲＦＩＤタグ３７及びＲＦＩＤ  Ｒ／Ｗ４０は、無線により非接触で情報の読み出し／書き込みを行う周知の装置であり、現在、例えば鉄道やバスの乗車券、高速道路の利用金回収システムなどで実用化されている。
【００２６】
図５に示すように、ネジ３３は、軸部３３ａの一端に頭部３３ｂが形成され、この頭部３３ｂの上面には、ドライバーなどの工具が一方向にしか係合し得ない係合溝３３ｃが形成されている。この係合溝３３ｃは、同図に示すように、例えば垂直な切り込みと斜めの切込みとで形成される。工具は、この垂直に切り込まれた個所との係合力は強いので、ネジ３３をその方向に回転操作することができるが、その反対の斜めに切り込まれた個所との係合力は弱いので、その方向に回転操作することはできない。
【００２７】
ネジ螺合部３４には、ネジ３３の軸部３３ａが螺合するネジ穴３４ａが形成されている。ネジ挿通部３５には、内側面３５ａと内底面３５ｂとで囲まれた凹部３５ｃが形成されており、内底面３５ｂにはネジ３３の軸部３３ａが挿通する挿通孔３５ｄが形成されている。ネジ３３の軸部３３ａを挿通孔３５ｄに挿通させるとともにネジ穴３４ａに螺合させ、頭部３３ｂの軸部３３ａが形成された面がネジ挿通部３５の内底面３５ｂに当接するように、全てのネジ３３について締め付け操作を行うことで、ケース蓋３２はケース基体３１に連結され、メイン基板収納ケース３０の内部にメイン基板２４が封止される。
【００２８】
また、ネジ挿通部３５の内側面３５ａには、カシメ部材３６の抜止部３６ａが嵌合するように窪められた嵌合溝３５ｅが形成されている。抜止部３６ａは、帯の両端部が接続されたような管形状になっており、一方の側縁部が円盤形のカシメ部材３６の側周面の下端部に接続され、他方の側縁部はカシメ部材３６の側周面の上端部から離れて開いた状態となっている。
【００２９】
図６に、カシメ部材３６が、締結されたネジ３３の頭部３３ｂを覆うように、ネジ挿通部３５の凹部３５ｃに嵌め込まれる様子を示す。ネジ３３によりケース蓋３２がケース基体３１に取り付けられた状態で（図６（Ａ））、凹部３５ｃにカシメ部材３６を差し込むと、抜止部３６ａは内側面３５ａに接触し、弾性変形して内側に閉じる（図６（Ｂ））。カシメ部材３６をさらに下方へ押し込むと抜止部３６ａが嵌合溝３５ｅに嵌合し、抜止部３６ａはその復元力により嵌合溝３５ｅ内で元の開いた状態となる（図６（Ｃ））。カシメ部材３６が一旦凹部３５ｃに嵌め込まれると、抜止部３６ａは外部から操作できない状態となる。また、抜止部３６ａは、カシメ部材３６が上方向へ抜き出されず、ネジ挿通部３５から分離不能とするストッパーとして機能するので、ケース基体３１に連結されたケース蓋３２は外せなくなる。
【００３０】
これにより、メイン基板収納ケース３０は、カシメ封止され、カシメ部材３６を破壊しない限り開封できない状態となる。カシメ部材３６が破壊されると、それに封入されるＲＦＩＤタグ３７の少なくとも一部分が破壊されるので、ＩＣチップ３７ａに記憶された封印コードＣは読み出せなくなる。このように、ＲＦＩＤタグ３７を備えたカシメ部材３６は、メイン基板収納ケース３０が不正開封された場合にその痕跡を確実に残すように封印することができる。
【００３１】
上記のように構成されたスロットマシン１０の作用について説明する。スロットマシン１０を遊技場に設置するにあたって、設置者は、筐体１１内に配設されたメイン基板収納ケース３０のネジ３３を工具によって締め付け操作し、その内部にメイン基板２４を封止する。その後、締め付け操作されるネジ３３の頭部３３ｂを覆うように、カシメ部材３６をネジ３３が挿通したネジ挿通部３５に嵌め込む。そして、設置者がＲＦＩＤ  Ｒ／Ｗ４０を操作し、ある特定周波数のデータ信号及びセキュリティ承認信号を用いた無線通信によって全てのカシメ部材３６のＲＦＩＤタグ３７に封印コードＣを登録する（書き込む）ことでメイン基板収納ケース３０の封印が完了する。なお、この封印コードＣの登録操作はメイン基板収納ケース３０の封印前に予め行われてもよい。
【００３２】
スロットマシン１０が遊技場に設置された後、遊技場の管理者は随時ＲＦＩＤタグ３７に登録された封印コードＣの認証を行う。管理者は、ＲＦＩＤ  Ｒ／Ｗ４０を操作し、ある特定周波数の無線通信によって全てのカシメ部材３６のＲＦＩＤタグ３７に登録された封印コードＣの認証を行う。これにより読み出された封印コードＣが正しい場合には、メイン基板収納ケース３０は不正開封されていないと判断できる。一方、正しい封印コードＣを読み出すことができない場合には、メイン基板収納ケース３０は不正開封されたと判断できる。
【００３３】
さらに、管理者はＲＦＩＤタグ３７に登録された封印コードＣを適宜書き換え、変更することもできる。なお、ＲＦＩＤタグ３７とＲＦＩＤ  Ｒ／Ｗ４０との通信は、無線により非接触で行われるので、スロットマシン１０の扉を開けることなく、遊技場に設置された遊技可能な状態で封印コードＣの読み書きを行うことができる。また、複数のＲＦＩＤタグ３７に同時にアクセスして、一度に全ての封印コードＣの読み書きを行うことができる。このようにして、メイン基板収納ケース３０が不正開封されたか否かを容易に判断することができ、メイン基板２４への第三者の不正なゴト行為を防止することができる。
【００３４】
上記実施形態では、カシメ部材３６をネジ挿通部３５から分離不能とするように抜止部３６ａを設けたが、これに限られず、この抜止部３６ａは設けなくてもよい。例えば、図７（Ａ）に示すように、ネジ挿通部３５の内側面３５ａの嵌合溝３５ｅより上方に位置する部分を斜めに切り欠いて、この部分の内径が上方に向かうにつれて大きくなるようにする。この部分の最小の内径よりやや大きい直径を有する円盤形のカシメ部材３６を凹部３５ｃに差し込むと、ネジ挿通部３５の斜めに切り欠かれた部分は弾性変形する（図７（Ｂ））。カシメ部材３６をさらに下方へ押し込むとその端部付近が嵌合溝３５ｅに嵌合する（図７（Ｃ））。
【００３５】
このように嵌め込まれたカシメ部材３６は、上方向へ抜き出すことができなくなるので、無理にメイン基板収納ケース３０を開封しようとすると内部のＲＦＩＤタグ３７の少なくとも一部は破壊される。なお、カシメ部材３６を嵌合溝３５ｅに嵌合させた後、カシメ部材３６をネジ挿通部３５に溶着、あるいは接着させてもよい。
【００３６】
また、上記実施形態では、メイン基板収納ケース３０の長手方向の両端部の縁に沿ってネジ螺合部３４及びネジ挿通部３５をそれぞれ６個ずつ形成したが、これに限られず、ネジ螺合部３４及びネジ挿通部３５を形成する位置及びその数は適宜設定してよい。例えば、図８に示すように、長手方向の一端部の縁に沿ってのみネジ螺合部３４及びネジ挿通部３５を形成し、長手方向の他端部にはケース基体３１とケース蓋３２とを連結して回動させるヒンジ３８を設けてもよい。
【００３７】
また、上記実施形態では、より確実にメイン基板収納ケース３０を封印するために、ネジ３３として一方向にしか回転操作できないワンウェイネジを用いたが、これに限られず、ネジ３３は双方向に回転操作可能な通常のネジであってもよく、ケース基体３１とケース蓋３２とを連結することが可能なものであればよい。
【００３８】
また、上記実施形態では、ケース基体３１にネジ螺合部３４を形成し、ケース蓋３２にネジ挿通部３５を形成したが、これに限られず、逆に、ケース基体３１にネジ挿通部３５を形成し、ケース蓋３２にネジ螺合部３４を形成するようにしてもよい。
【００３９】
また、上記実施形態では、ネジ３３を用いてケース基体３１とケース蓋３２とを連結したが、これに限られず、ネジ３３の代わりにピンなどの連結部材を用いてもよく、メイン基板収納ケース３０を封印するためには、連結部材が連結部から取り外される際に操作される締結操作部が外部から操作不能となるようにＲＦＩＤタグ３７を備えたカシメ部材で覆われればよい。
【００４０】
また、上記実施形態では、カシメ部材を円盤形のチップ状としたが、これに限られず、締結操作部を最低限覆うことができる形状であればよい。
【００４１】
また、上記実施形態では、メイン基板収納ケース３０を備えたスロットマシン１０について説明を行ったが、スロットマシン１０に限られず、パチンコ機等の遊技機やその他の機器にメイン基板収納ケース３０を装着するようにしてもよい。
【図面の簡単な説明】
【００４２】
【図１】本発明を実施したスロットマシンの概観を示す斜視図である。
【図２】スロットマシンの上扉を開放した状態を示す斜視図である。
【図３】メイン基板収納ケース及びＲＦＩＤリーダ／ライタを示す斜視図である。
【図４】メイン基板収納ケースの分解斜視図である。
【図５】図３のＡ−Ａ線に沿う断面図である。
【図６】カシメ部材がネジ挿通部に嵌合する様子を示す断面図である。
【図７】別形態のカシメ部材がネジ挿通部に嵌合する様子を示す断面図である。
【図８】別形態のメイン基板収納ケースを示す斜視図である。
【符号の説明】
【００４３】
１０  スロットマシン（遊技機）
２４  メイン基板（回路基板）
３０  メイン基板収納ケース（回路基板収納ケース）
３１  ケース基体
３２  ケース蓋
３３  ネジ（連結部材）
３３ａ  軸部
３３ｂ  頭部（締結操作部）
３３ｃ  係合溝
３４  ネジ螺合部（連結部）
３４ａ  ネジ穴
３５  ネジ挿通部（連結部）
３５ａ  内側面
３５ｂ  内底面
３５ｃ  凹部
３５ｄ  挿通孔
３５ｅ  嵌合溝
３６  カシメ部材（カバー部材）
３６ａ  抜止部
３７  ＲＦＩＤタグ（情報記憶手段）
３７ａ  ＩＣチップ
３７ｂ  送受信アンテナ
４０  ＲＦＩＤリーダ／ライタ
【図１】
2005130909.tif 000003
【図２】
2005130909.tif 000004
【図３】
2005130909.tif 000005
【図４】
2005130909.tif 000006
【図５】
2005130909.tif 000007
【図６】
2005130909.tif 000008
【図７】
2005130909.tif 000009
【図８】
2005130909.tif 000010